(57)【要約】【課題】タンパク質性およびデンプン性汚れの優れた洗浄および除去を提供する洗剤組成物が開示される。【解決手段】出願人は、プロテアーゼおよび／またはアミラーゼなどの酵素の性能を強化および改善するように作用する界面活性剤パッケージを発見した。深鍋および平鍋用食器洗浄洗剤、ならびに浸漬のための組成物と、手動または食器洗浄機での洗浄におけるそれらの使用と、が開示される。【選択図】図１
2021526181.tif 000002
【特許請求の範囲】
【請求項１】
酵素の洗浄能力を最適化する、洗剤組成物中に含めるための酵素界面活性剤成分であって、前記成分は、
有効量のプロテアーゼと、
オレフィンスルホン酸ナトリウムおよび／またはラウレルエーテル硫酸ナトリウムのうちの１つ以上と、
１つ以上の両性界面活性剤と、を含み、
前記成分がアルキルベンゼンスルホン酸塩を含まない、酵素界面活性剤成分。
【請求項２】
前記両性界面活性剤が、アミンオキシド、および／またはコカミドプロピルベタインを含む、請求項１に記載の酵素界面活性剤成分。
【請求項３】
前記両性界面活性剤が、アミンオキシドおよびコカミドプロピルベタインの両方を含む、請求項１に記載の酵素界面活性剤成分。
【請求項４】
アミラーゼをさらに含む、請求項１に記載の酵素界面活性剤成分。
【請求項５】
エチレンオキシドおよびプロピレンオキシドポリマーセグメントの両方を含むアルコールアルコキシレートのうちの１つ以上を含む、請求項１に記載の酵素界面活性剤成分。
【請求項６】
前記アルコールアルコキシレートが２エチルヘキシルＰＯ４〜８ＥＯ３、６、９または１４である、請求項５に記載の酵素界面活性剤成分。
【請求項７】
前記界面活性剤がゲルベアルコールエトキシレートである、請求項５に記載の酵素界面活性剤成分。
【請求項８】
前記界面活性剤がポリエチレングリコールトリメチルノニルエーテルである、請求項１に記載の酵素界面活性剤成分。
【請求項９】
請求項１に記載の酵素界面活性剤パッケージを含む洗剤。
【請求項１０】
前記洗剤が酵素安定剤をさらに含む、請求項９に記載の洗剤。
【請求項１１】
防腐剤をさらに含む、請求項９に記載の洗剤。
【請求項１２】
増粘剤をさらに含む、請求項９に記載の洗剤。
【請求項１３】
色素剤、芳香剤、水、アルカリ性源、キーラント、追加の酵素、分散剤、漂白剤または消泡剤のうちの１つ以上の追加の成分をさらに含む、請求項９に記載の洗剤。
【請求項１４】
前記洗剤が液状である、請求項９に記載の洗剤。
【請求項１５】
約０．０１重量％〜約２０重量％の１つ以上の酵素と、
オレフィンスルホン酸ナトリウムおよびラウレルエーテル硫酸ナトリウムを含む、約５重量％〜約４５重量％のアニオン性界面活性剤と、
約０．０１重量％〜約２５重量％の非イオン性または両性界面活性剤と
を含む、食器洗浄／浸漬用洗剤組成物であって、
残りは、水、酵素安定剤、増粘剤、防腐剤、芳香剤、および色素剤のうちの１つ以上を含む、食器洗浄／浸漬用洗剤組成物。
【請求項１６】
前記酵素がプロテアーゼおよび／またはアミラーゼである、請求項１５に記載の食器洗浄／浸漬用組成物。
【請求項１７】
前記酵素がプロテアーゼである、請求項１５に記載の食器洗浄／浸漬用組成物。
【請求項１８】
前記酵素がアミラーゼであり、前記組成物が非イオン性共界面活性剤を含む、請求項１５に記載の食器洗浄／浸漬用組成物。
【請求項１９】
プロピレングリコールの酵素安定剤をさらに含む、請求項１５に記載の食器洗浄／浸漬用組成物。
【請求項２０】
塩化ナトリウムの粘度制御剤をさらに含む、請求項１５に記載の食器洗浄／浸漬用組成物。
【請求項２１】
前記プロテアーゼが、セリンプロテアーゼ、システインプロテアーゼ、カルボキシルプロテアーゼ、および／またはメタロプロテアーゼのうちの一つ又は複数である、請求項１５に記載の食器洗浄／浸漬用組成物。
【請求項２２】
前記プロテアーゼが、細菌由来、放線菌由来、カビ由来、または酵母由来のプロテアーゼである、請求項１５に記載の食器洗浄／浸漬用組成物。
【請求項２３】
前記プロテアーゼが細菌プロテアーゼである、請求項１５に記載の組成物。
【請求項２４】
組成物が、酵母、カビ、または細菌に由来するアミラーゼを含む、請求項１８〜２３のいずれか一項に記載の食器洗浄／浸漬用組成物。
【請求項２５】
前記アミラーゼが、Ｂ．リケニフォルミス、Ｂ．アミロリケファシエンス、Ｂ．サブティリス、またはＢ．ステアロサーモフィルスを含むバチルスに由来する、請求項１５に記載の食器洗浄／浸漬用組成物。
【請求項２６】
前記組成物が、使用時に希釈される濃縮組成物である、請求項１５に記載の組成物。
【請求項２７】
シンク内で、および／または食器洗浄機内で洗浄する前に、洗剤組成物を食器表面に塗布し；前記洗剤組成物が、相乗的に一緒に作用する界面活性剤ならびにプロテアーゼおよび／またはアミラーゼを含み；その後前記食器をすすぎ、前記洗剤が、改良タンパク質またはデンプン性の汚れ除去および手動食器洗浄性能のための許容可能な泡立ちをもたらし、前記界面活性剤が直鎖アルキルベンゼンスルホネートではない、タンパク質性またはデンプン性汚れの洗浄方法。
【請求項２８】
前記洗剤がすぐに使用可能な溶液である、請求項２７に記載の方法。
【請求項２９】
前記食器洗浄機が施設用の食器洗浄機である、請求項２７に記載の方法。
【請求項３０】
前記食器洗浄機が定置洗浄機である、請求項２７に記載の方法。
【請求項３１】
酵素の洗浄能力を最適化する、洗剤組成物中に含めるための酵素界面活性剤成分であって、前記成分は、
有効量のプロテアーゼと、
有効量のアミラーゼと、
１つ以上のオレフィンスルホン酸ナトリウムおよび／またはラウレルエーテル硫酸ナトリウムと、アミンオキシドおよび／またはココアミドプロピルベタインのうちの１つ以上と、を含み、
成分がアルキルベンゼンスルホネートを含まない、酵素界面活性剤成分。
【請求項３２】
エチレンオキシドおよびプロピレンオキシドポリマーセグメントの両方を含有するアルコールアルコキシレートをさらに含む、請求項３１に記載の成分。
【請求項３３】
前記アルコールアルコキシレートが、２エチルヘキシルＰＯ４−８ＥＯ３、６、９または１４である、請求項３１に記載の成分。
【請求項３４】
ゲルベアルコールエトキシレートをさらに含む、請求項３１に記載の成分。
【請求項３５】
ポリエチレングリコールトリメチルノニルエーテルをさらに含む、請求項３１に記載の成分。
【発明の詳細な説明】
【技術分野】
【０００１】
タンパク質、デンプン、および他の除去しにくい汚れを除去するための配合物中に存在する酵素の性能を最適化する食器洗浄洗剤組成物が開示されている。組成物は、相乗的な酵素−界面活性剤の組み合わせの使用を採用しており、重要なことに、洗剤中の酵素性能に対して有害な効果を有するものを避ける。食器を洗浄するための、深鍋および平鍋（ｐｏｔｓ  ａｎｄ  ｐａｎｓ）を浸漬するための洗剤組成物を採用する方法、ならびに組成物の作製方法も含まれる。
【背景技術】
【０００２】
界面活性剤は、洗浄製品における単一の最も重要な洗浄成分である。界面活性剤は、液気界面で吸着することによって水の表面張力を減少させる。界面活性剤はまた、液液界面で吸着することによって油と水との間の界面張力を減少させる。水に溶解すると、界面活性剤は、表面から汚れを除去する能力を製品に付与する。各界面活性剤分子は、水分子に引き付けられる親水性頭部と、水を弾き同時にそれ自体を汚れの中の油および脂に引き付ける疎水性尾部と、を含む。これらの反対の力が汚れを解き、それを水中に懸濁させる。
【０００３】
染みを分解し、それが除去されたばかりの表面上への汚れの再付着を防止するために水溶液中に汚れを保持することによって、洗剤および洗浄組成物の基本的な作業を界面活性剤が行う。界面活性剤は、通常は水に溶解しない汚れを分散させる。環境規制、消費性向、および消費慣習は、界面活性剤産業における、低コスト、高性能、かつ環境にやさしい製品を製造する新たな発展を強いてきた。
【０００４】
タンパク質性、デンプン、および脂肪性の汚れは、食器洗浄用途では困難であることが長く証明されてきた。過去に、これらの種類の汚れを除去する際に最も有効であった洗浄組成物は、リン酸含有成分を含んだ。これらの洗浄組成物は、通常、環境上の懸念により現在は禁止されている、リン酸三ナトリウム及びトリポリリン酸ナトリウム（ＳＴＰＰ）等のリン酸含有成分を含んだ。この禁止以降、洗浄組成物の性能における隔たりが存在してきた。
【０００５】
酵素の使用は、３０年以上もの間、洗浄配合物において洗浄を改善するために実施されてきた。そのような配合物中で使用される酵素は、プロテアーゼ、リパーゼ、アミラーゼ、セルラーゼ、マンノシダーゼ、および他の酵素、またはそれらの混合物を含む。商業的に最も重要な酵素は、プロテアーゼである。これらのプロテアーゼの多くは、食器洗浄用途における有効性を限定する、例えば洗浄性能、熱安定性、保存安定性、または触媒活性等の異なる特性を有する。これらの特性、および他の洗剤成分との有害な相互作用が、食器洗浄用途におけるプロテアーゼ性能を望ましく改善する。
【発明の概要】
【発明が解決しようとする課題】
【０００６】
したがって、本開示の目的は、洗浄性能を改善する界面活性剤とプロテアーゼとの相乗的な組み合わせを提供することである。したがって、特にタンパク質性、デンプン性、油性および脂肪性の汚れについて、環境的に安全である洗浄利点を提供する食器洗浄洗剤／深鍋および平鍋用浸漬用組成物を開発することが目的である。
【課題を解決するための手段】
【０００７】
出願人は、酵素の洗浄能力を最適化し、相乗的に作用して洗浄を改善することが多い食器洗浄洗剤ならびに深鍋および平鍋用予浸組成物中の界面活性剤および酵素の特定の組み合わせを識別した。これらの組み合わせは、酵素−界面活性剤相互作用が最適化されていない従来の食器洗浄洗剤組成物と比較した場合、優良なタンパク質およびデンプン性の汚れの除去を提供する。
【０００８】
一実施形態では、食器洗剤組成物は、食器洗浄洗剤組成物の界面活性剤−酵素成分を含む。酵素成分は、プロテアーゼ、アミラーゼ、または好ましい実施形態では、タンパク質およびデンプン性の汚れを最適に除去するために両方の酵素を含むことができる。出願人はさらに、アニオン性界面活性剤である直鎖アルキルベンゼンスルホネートが各酵素の汚れ除去に有害な効果を有し、洗剤はこの界面活性剤を本質的に含まないか、またはその使用を避けるべきであることを識別した。密接に関係するアニオン性界面活性剤であるラウレルエーテル硫酸ナトリウムおよびオレフィンスルホン酸ナトリウムが、これらの界面活性剤のうちの一方または両方を含む洗剤の洗浄能力および性能を最適化する好ましい界面活性剤であるため、これは特に驚くべきことである。
【０００９】
一実施形態では、出願人は、オレフィンスルホン酸ナトリウム、ラウレルエーテル硫酸ナトリウム、アミンオキシド、およびコカミドプロピルベタインの組み合わせがすべてプロテアーゼと相乗的に作用することを見出した。
【００１０】
アニオン性界面活性剤は、それらの発泡特性にとって望ましいが、アミラーゼに悪影響を与える場合も有り、一実施形態では、洗剤または界面活性剤パッケージは、これらの効果を軽減するために非イオン性共界面活性剤を含むことができる。これらは、典型的には、ポリエチレングリコールトリメチルノニルエーテルまたは分岐Ｃ８エチルヘキシル（ＰＯ）４〜８（ＥＯ）３、６、９、または１４非イオン性拡張界面活性剤等の分岐非イオン性界面活性剤を含む。
【００１１】
さらなる実施形態では、食器洗浄洗剤／浸漬用組成物を基材表面に塗布することであって、洗剤組成物が酵素−界面活性剤パッケージを含み、洗剤組成物がタンパク質性またはデンプン性の汚れ除去に効果的である、塗布することと、その後、残留洗剤および屑を除去するために上記表面をすすぐことと、を含む、洗浄方法が開示されている。好ましい実施形態では、洗剤は、食器洗浄シンク内で使用される。いくつかの実施形態では、洗剤は、食器洗浄機または２槽もしくは３槽のコンパートメントシンク内で洗浄する前に塗布され得る浸漬用組成物である。
【００１２】
洗浄組成物はまた、食器洗浄組成物に有用な様々な他の成分のうちのいずれかを含む。例えば、組成物は、キーラント、アルカリ、金属保護剤、充填剤、酵素安定剤、ビルダー、酸化剤、防腐剤、腐食抑制剤、緩衝剤、芳香剤等の成分を含み得る。
【００１３】
そのような洗浄を必要とする物品としては、プラスチック製品、調理器具、食器類、平皿類、グラス、コップ、硬質表面、ガラス表面、食事用および調理用の道具、ならびに食器を有する任意の物品が挙げられる。追加の実施形態はまた、プラスチック製品の洗浄も含む。洗浄され得るプラスチックの種類としては、ポリカーボネートポリマー（ＰＣ）、アクリロニトリル−ブタジエン−スチレンポリマー（ＡＢＳ）、およびポリスルホンポリマー（ＰＳ）を含むものが挙げられるが、これらに限定されない。洗浄され得る別の例示的なプラスチックとしては、ポリエチレンテレフタレート（ＰＥＴ）が挙げられる。
【００１４】
組成物は、液体、すぐに使用可能な溶液、濃縮物、または固体として提供され得る。一実施形態では、洗浄組成物は、洗浄組成物が添加された水を実質的に含まないか、または濃縮物がわずかな量の水を含み得るように、濃縮物として提供されてもよい。濃縮物の運搬の費用を低減するために、濃縮物は、水を一切含まずに配合されるか、または比較的少量の水を含んで提供されてもよい。使用する際に、濃縮物は、使用組成物を形成するために希釈され、次いで、洗浄するために食器に塗布される。
【００１５】
複数の実施形態が開示されているが、本発明のなお他の実施形態は、例証的な実施形態を図示および説明する以下の詳細な説明から、当業者には明らかになるであろう。したがって、図面および発明を実施するための形態は、本来は例示的であり、限定的ではないものとしてみなされるべきである。
【図面の簡単な説明】
【００１６】
【図１】洗剤試作品にＤＭ０６を使用した、タンパク質汚れ除去を比較した図である。
【図２】洗剤試作品にＤＭ７９を使用した、デンプン汚れ除去を比較した図である。
【図３】洗剤試作品１および６対非酵素製品のタンパク質汚れ除去を比較した図である。
【図４】洗剤試作品１および６対非酵素製品のデンプン汚れ除去を比較した図である。
【図５】様々な温度で１２週にわたる洗剤試作品１におけるＬｉｑｕａｎａｓｅおよびＡｍｐｌｉｆｙの安定性を示す図である。
【図６】３０℃で１２週にわたる５つの配合物におけるＬｉｑｕａｎａｓｅおよびＡｍｐｌｉｆｙの安定性を比較した図である。
【図７】３０℃での３つの洗剤試作品における酵素貯蔵寿命安定性を比較した図である。
【図８】３７℃での３つの洗剤試作品における酵素貯蔵寿命安定性を比較した図である。
【図９】５０℃での３つの洗剤試作品における酵素貯蔵寿命安定性を比較した図である。
【発明を実施するための形態】
【００１７】
食器洗浄洗剤組成物は、タンパク質性および／またはデンプン性の汚れの除去を改善し、リン酸塩含有成分を含まない相乗的な界面活性剤−酵素の組み合わせを採用して開示されている。
【００１８】
本明細書で開示された実施形態は、特定の洗剤組成物に限定されず、これは変更することができ、当業者によって理解される。本明細書に使用されるすべての専門用語は、単に特定の実施形態を説明する目的のためであり、いかなる様式または範囲においても限定的であることを意図されないことがさらに理解されるべきである。
【００１９】
例えば、本明細書および添付の特許請求の範囲で使用されるとき、単数形「ａ」、「ａｎ」、および「ｔｈｅ」は、別段に明確に内容により示されない限り、複数の指示対象を含み得る。さらに、すべての単位、接頭辞、および記号は、そのＳＩ認証形態で表示され得る。本明細書内に記載される数値範囲は、範囲を定義する数字を含んでおり、定義される範囲内の各整数を含む。
【００２０】
別段定義されない限り、本明細書で使用される全ての技術および科学用語は、様々な実施形態が関連する技術分野の当業者によって一般に理解されるものと同じ意味を有する。本明細書に記載されるものと類似しているか、それらを修正したか、またはそれらと同等である多くの方法および材料が、過度な実験を伴うことなく、本明細書で企図される実施形態の実践に使用され得、好ましい材料および方法が、本明細書に記載される。本実施形態を説明し、請求する際に、以下に記載される定義に従って以下の専門用語が使用される。
【００２１】
本明細書で使用されるとき、本発明の組成物中の成分または材料の量を修飾するか、または本発明の方法において用いられる「約」という用語は、例えば、現実世界において濃縮物または使用溶液の作製に使用される典型的な測定および液体取扱い手順；それらの手順における不慮の誤差；組成物の作製または方法の実行に使用される成分の製造、供給源、または純度の違い等によって生じ得る、数量のばらつきを指す。「約」という用語はまた、特定の初期混合物から得られる組成物に関する異なる平衡条件によって異なる量も包含する。「約」という用語によって修飾されるか否かにかかわらず、特許請求の範囲は、その量に対する等価物を含む。
【００２２】
「界面活性剤」または「表面活性剤」という用語は、液体に添加されると、表面でその液体の特性を変化させる有機化合物を指す。
【００２３】
「洗浄」とは、汚れ除去、漂白、デスケーリング、脱染、微生物集団の減少、すすぎ、またはこれらの組み合わせを行うか、またはそれらにおいて補助することを意味する。
【００２４】
本明細書で使用されるとき、「実質的に含まない」という用語は、成分を完全に欠くか、または成分が組成物の性能に影響を及ぼさないほどに少量の成分を有する組成物を指す。成分は、不純物としてまたは汚染物質として存在してもよく、０．５重量％未満でなければならない。別の実施形態では、成分の量は、０．１重量％未満であり、更に別の実施形態では、成分の量は、０．０１重量％未満である。
【００２５】
本明細書で使用される場合、「固体」洗剤組成物とは、固体形態、例えば、粉末、粒子、凝集体、フレーク、顆粒、ペレット、錠剤、トローチ、パック、ブリケット、ブリック、固体ブロック、単位用量、または当業者に既知の別の固体形態にある洗浄組成物を指す。「固体」という用語は、固体洗剤組成物の予測される保管および使用条件下での洗剤組成物の状態を指す。一般に、洗剤組成物は、１００°Ｆおよび好ましくは１２０°Ｆの高温に曝露された場合、固体形態のままであることが予測される。鋳造、圧縮、または押出された「固体」は、ブロックを含む任意の形態をとり得る。鋳造、圧縮、または押出された固体に言及する場合、それは、硬化された組成物が、目に見えて流動せず、適度な応力、圧力、または単なる重力下でその形状を実質的に保持するであろうことを意味する。例えば、鋳型から取り外されたときの鋳型の形状、押出機からの押出に際して形成された物品の形状等である。固体鋳造組成物の硬度の程度は、コンクリートに類似した、比較的緻密で硬い溶融固体ブロックの硬度から、コーキング材に類似した、可鍛性でスポンジ様のものとして特徴付けられる軟度にわたり得る。
【００２６】
「活性物質」、または「活性物質のパーセント」、または「活性物質の重量パーセント」、または「活性物質濃度」という用語は、本明細書において互換的に使用され、水または塩等の不活性成分を引いた百分率として表される、洗浄に関与するこれらの成分の濃度を指す。
【００２７】
「実質的に同様の洗浄性能」という用語は、概して、同程度（または少なくとも著しくより少ない程度ではない）の洗浄度の、または概して同じ労力（または少なくとも著しくより少ない労力ではない）による、またはその両方である代替洗浄製品または代替洗浄システムによる達成を指す。
【００２８】
本明細書で使用されるとき、「給水」、「希釈水」、および「水」という用語は、開示された方法および組成物と共に使用され得る水の任意の供給源を指す。好適な水源には、多様な質およびｐＨの両方が含まれ、水道水、井戸水、用水システムによって供給される水、私設給水システムによって供給される水、及び／またはシステムもしくは井戸から直接得られる水が含まれるが、これらに限定されない。水には、使用済み水の貯水槽、例えば、再生水の貯蔵に使用される再生貯水槽、貯蔵タンク、またはこれらの任意の組み合わせからの水も含まれる。水には、食品加工用または運搬用の水も含まれる。システムおよび方法のための流入水の供給源にかかわらず、水源は、製造プラント内でさらに処理され得ることが理解されるべきである。例えば、ミネラル沈澱のためにライムを添加してもよく、炭素濾過によって臭気性汚染物質を除去してもよく、消毒のためにさらなる塩素もしくは二酸化塩素を使用してもよく、または逆浸透によって水を精製して蒸留水と同様の特性を持たせてもよい。
【００２９】
本明細書で使用されるとき、「食器」という用語は、食事および調理用具、食器類、ならびにシャワー、シンク、トイレ、浴槽、天板、窓、鏡、運搬用車両、および床などの他の硬表面を指す。本明細書で使用される場合、「食器洗浄」という用語は、食器の洗浄、浄化、またはすすぎを指す。器物は、プラスチック製の品目も指す。洗浄され得るプラスチックの種類としては、ポリカーボネートポリマー（ＰＣ）、アクリロニトリル−ブタジエン−スチレンポリマー（ＡＢＳ）、およびポリスルホンポリマー（ＰＳ）を含むものが挙げられるが、これらに限定されない。洗浄され得る別の例示的なプラスチックとしては、ポリエチレンテレフタレート（ＰＥＴ）が挙げられる。
【００３０】
本明細書で使用される場合、用語「重量パーセント（ｗｅｉｇｈｔ  ｐｅｒｃｅｎｔ）」、「重量％（ｗｔ．％）」、「重量パーセント（ｐｅｒｃｅｎｔ  ｂｙ  ｗｅｉｇｈｔ）」、「重量％（％  ｂｙ  ｗｅｉｇｈｔ）」、およびそれらの変形は、その物質の重量を組成物の総重量で除し、１００を乗じた物質の濃度を指す。本明細書で使用される場合、「パーセント」、「％」および同様のものは、「重量パーセント」、「重量％」などと同義であることが意図されると理解される。
【００３１】
本方法および組成物は、本明細書に記載の成分および材料、ならびに他の成分を含むか、それらから本質的になるか、またはそれらからなり得る。本明細書で使用される場合、「から本質的になる」とは、方法および組成物が、追加のステップ、成分、または材料を含み得るが、ただしその追加のステップ、成分、または材料が、特許請求される方法および組成物の基本的かつ新規の特徴を著しく変更しない場合に限ることを意味する。
【００３２】
食器洗浄／予浸組成物
本発明の洗剤組成物は、食器から除去しにくい汚れの洗浄を助ける１つ以上の酵素を含む。出願人は、これらの酵素の活性を最適化する特定の界面活性剤および様々な配合物を識別した。洗剤は、プロテアーゼおよび／またはアミラーゼを含むことができ、好ましい実施形態では、デンプン性およびタンパク質の両方の汚れ除去を最適化するために両方の酵素が含まれる。
【００３３】
プロテアーゼ
プロテアーゼは、汚れ残留物中に存在する複雑な高分子タンパク質構造を、より単純な短鎖分子に切断することができ、それ自体の短鎖分子が、プロテアーゼを含有する洗浄溶液によって、表面からより容易に脱着されるか、可溶化されるか、またはそうでなければより容易に除去される。プロテアーゼは一般に、それらの活性部位に応じて、セリンプロテアーゼ、チオールプロテアーゼ、カルボキシルプロテアーゼ、および金属プロテアーゼに分類される。それらはまた、それらの起源に応じて、微生物由来、植物由来、および動物由来のプロテアーゼの３つに分類され得る。微生物由来のプロテアーゼはさらに、細菌由来、放線菌由来、カビ由来、および酵母由来のプロテアーゼに分類される。
【００３４】
任意の好適なプロテアーゼが洗剤中に含まれ得る。異なる例では、洗剤に含まれるプロテアーゼは、植物、動物、または微生物に由来することができる。一例では、洗剤は、酵母、カビ、または細菌等の微生物に由来するプロテアーゼを含む。例えば、洗剤は、例えば、バチルス・サブティリスまたはバチルス・リケニフォルミス等のバチルスの菌株に由来するセリンプロテアーゼを含み得る。これらのプロテアーゼは、天然および組換えのサブチリシンを含み得る。プロテアーゼは、精製されるか、または菌抽出物の成分であり得、野生型または変異型（化学的または遺伝子組換えによる）であり得る。いくつかの例では、プロテアーゼは、それが約６〜約１２のｐＨでおよび約２０℃〜約８０℃の範囲の温度で活性であるように選択される。
【００３５】
洗剤中に組み込まれ得る市販のプロテアーゼの例としては、Ａｌｃａｌａｓｅ（登録商標）、Ｓａｖｉｎａｓｅ（登録商標）（例えば、Ｓａｖｉｎａｓｅ（登録商標）Ｕｌｔｒａ１６Ｌ）、Ｐｒｉｍａｓｅ（登録商標）、Ｄｕｒａｚｙｍ（登録商標）、Ｅｓｐｅｒａｓｅ（登録商標）、Ｃｏｒｏｎａｓｅ（登録商標）、Ｂｌａｚｅ（登録商標）、Ｌｉｑｕａｎａｓｅ（登録商標）、Ｐｒｏｇｒｅｓｓ  Ｕｎｏ（登録商標）、Ｌａｖｅｒｇｙ  Ｐｒｏ（登録商標）、Ｍａｘａｔａｓｅ（登録商標）、Ｍａｘａｃａｌ（登録商標）、Ｍａｘａｐｅｍ（登録商標）、Ｏｐｔｉｃｌｅａｎ（登録商標）、Ｏｐｔｉｍａｓｅ（登録商標）ＰＲ、Ｅｆｆｅｃｔｅｎｚ（登録商標）、Ｐｕｒａｆｅｃｔ（登録商標）、およびＰｕｒａｆｅｃｔ  ＯＸの商標名で販売されているものが挙げられる。異なるプロテアーゼ酵素の混合物もまた、洗剤中に組み込まれ得る。さらに、様々な特定の酵素が記載されているが、組成物に所望のタンパク質分解活性を付与することができる任意のプロテアーゼを使用することができ、本開示は任意の特定のプロテアーゼに限定されないことが理解されるべきである。好ましい実施形態では、酵素は、Ｓａｖｉｎａｓｅ（登録商標）またはＬｉｑｕａｎａｓｅ（登録商標）である。
【００３６】
使用される場合、プロテアーゼは、例えば、食器の表面上に蓄積し得る種類のタンパク質汚れ構造の効果的な洗浄および除去を生じさせるのに十分な量で洗剤に組み込まれ得る。プロテアーゼは、食器洗浄組成物が使用／液体組成物として提供される場合に、所望の酵素活性を提供する量で含まれる。洗剤組成物中の酵素レベルの例示的な範囲には、約０．００１〜約２０重量％、より好ましくは約０．０１重量％〜約１５重量％、最も好ましくは約０．０５重量％〜約１０重量％が含まれる。
【００３７】
アミラーゼ
アミラーゼ酵素は、汚れ残留物中に存在するデンプン分子をより単純な短鎖分子（例えば、単糖）に切断することができ、それ自体の短鎖分子が、アミラーゼを含有する洗浄溶液によって、表面からより容易に脱着されるか、可溶化されるか、またはそうでなければより容易に除去される。本発明の組成物中に含まれるアミラーゼは、植物、動物、または微生物に由来することができる。一例では、組成物は、酵母、カビ、または細菌等の微生物に由来するアミラーゼを含む。例えば、組成物は、Ｂ．リケニフォルミス、Ｂ．アミロリケファシエンス、Ｂ．サブティリス、またはＢ．ステアロサーモフィルス等のバチルスに由来するアミラーゼを含む。アミラーゼは、精製されるか、または菌抽出物の成分であり得、野生型または変異型（化学的または遺伝子組換えによる）であり得る。いくつかの例では、組成物は、アルファアミラーゼ（α−アミラーゼ）を含む。
【００３８】
組成物中に採用され得るアミラーゼ酵素の例としては、Ｇｉｓｔ−Ｂｒｏｃａｄｅｓ（登録商標）（Ｎｅｔｈｅｒｌａｎｄｓ）によるＲａｐｉｄａｓｅ、Ｔｅｒｍａｍｙｌ（登録商標）、Ｆｕｎｇａｍｙｌ（登録商標）、Ｄｕｒａｍｙｌ（登録商標）、Ａｍｐｌｉｆｙ（登録商標）、Ａｍｐｌｉｆｙ  Ｐｒｉｍｅ（登録商標）、ＮｏｖｏｚｙｍｅｓによるＳｔａｉｎｚｙｍｅ（登録商標）もしくはＳｔａｉｎｚｙｍｅ  Ｐｌｕｓ（登録商標）、Ｏｐｉｔｍａｓｅ（登録商標）ＡＡ、Ｐｒｅｆｅｒｅｎｚ（登録商標）、またはＤｕＰｏｎｔによるＰｕｒａｓｔａｒ（登録商標）等の商標名で販売されているものが挙げられる。アミラーゼの混合物も使用され得る。アミラーゼ酵素は、約６〜１２のｐＨ範囲および約２０℃〜８０℃の温度での活性を有し得る。
【００３９】
使用される場合、アミラーゼは、例えば、食器の表面上に蓄積し得る種類のデンプン汚れ構造の効果的な洗浄および除去を生じさせるのに十分な量で組成物に組み込まれ得る。アミラーゼは、食器洗浄組成物が使用／液体組成物として提供される場合に、所望の酵素活性を提供する量で含まれる。洗剤組成物中の酵素レベルの例示的な範囲には、約０．００１〜約２０重量％、より好ましくは約０．０１〜約１５重量％、最も好ましくは約０．０５重量％〜約１０重量％が含まれる。
【００４０】
界面活性剤
組成物は、プロテアーゼおよび／またはアミラーゼとの拮抗的相互作用を有する界面活性剤を含まないか、または実質的に含まない。そのような界面活性剤は、主にアニオン性界面活性剤、直鎖アルキルベンゼンスルホネートを含むが、他の密接に関係するアニオン性界面活性剤は、例えば、オレフィンスルホン酸ナトリウムまたはラウレルエーテル硫酸ナトリウムなどの酵素に対して適合性または相乗効果さえも有する。
【００４１】
一実施形態では、界面活性剤成分は、組成物が酵素と有害に相互作用する任意のアニオン性界面活性剤（直鎖アルキルベンゼンスルホネート）を含まないという条件で、深鍋および平鍋用／食器洗浄洗剤／浸漬用組成物に通常使用される任意の界面活性剤を含み得る。
【００４２】
使用され得る例示的な界面活性剤は、多数の供給源から市販されている。界面活性剤の考察について、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｔｈｉｒｄ  Ｅｄｉｔｉｏｎ，ｖｏｌｕｍｅ  ８，ｐａｇｅｓ  ９００−９１２を参照されたい。組成物が洗浄剤を含む場合、洗浄剤は、所望のレベルの洗浄を提供するために有効な量で提供され得る。
【００４３】
洗剤組成物に有用なアニオン性界面活性剤としては、例えば、アルキルカルボキシレート（カルボン酸塩）およびポリアルコキシカルボキシレート、アルコールエトキシレートカルボキシレート、ノニルフェノールエトキシレートカルボキシレートなどのカルボキシレート；アルキルスルホネート、アルキルベンゼンスルホネート（直鎖アルキルベンゼンスルホネートを除く）、アルキルアリールスルホネート、スルホン化脂肪酸エステルなどのスルホネート；硫酸化アルコール、硫酸化アルコールエトキシレート、硫酸化アルキルフェノール、アルキルサルフェート、スルホコハク酸塩、アルキルエーテルサルフェートなどのサルフェート；ならびにアルキルリン酸エステルなどのリン酸エステルが挙げられる。組成物は、１つ以上のアニオン性界面活性剤、好ましくはアルキルアルコキシル化サルフェート、アルキルサルフェート、またはアルキルスルホネートなどを含む。例示的な好ましいアニオン性界面活性剤としては、ラウレルエーテル硫酸ナトリウム、オレフィンスルホン酸ナトリウム、および脂肪族アルコールサルフェートが挙げられる。好ましい実施形態では、アニオン性界面活性剤は、オレフィンスルホン酸ナトリウムおよびラウレルエーテル硫酸ナトリウムを含み、上記成分は、約４部のオレフィンスルホン酸ナトリウムと約１部のラウレルエーテル硫酸ナトリウムとの比率で存在する。
【００４４】
洗剤組成物に有用な非イオン性界面活性剤としては、例えば、界面活性剤分子の一部分としてポリアルキレンオキシドポリマーを有するものが挙げられる。そのような非イオン性界面活性剤としては、例えば、塩素、ベンジル、メチル、エチル、プロピル、ブチル、及び他の同様のアルキルでキャップされた、脂肪アルコールのポリエチレングリコールエーテル；アルキルポリグリコシド等のポリアルキレンオキシド不含非イオン性物質；ソルビタン及びスクロースエステルならびにそれらのエトキシレート；アルコキシル化エチレンジアミン；アルコールエトキシレートプロポキシレート、アルコールプロポキシレート、アルコールプロポキシレートエトキシレートプロポキシレート、アルコールエトキシレートブトキシレート等のアルコールアルコキシレート；ノニルフェノールエトキシレート、ポリオキシエチレングリコールエーテル等；カルボン酸エステル、例えばグリセロールエステル、ポリオキシエチレンエステル、脂肪酸のエトキシル化エステル及びグリコールエステル等；ジエタノールアミン縮合物、モノアルカノールアミン縮合物、ポリオキシエチレン脂肪酸アミド等のカルボン酸アミド；ならびにＰｌｕｒｏｎｉｃ（登録商標）（ＢＡＳＦ−Ｗｙａｎｄｏｔｔｅ）の商品名で市販されているもの等のエチレンオキシド／プロピレンオキシドブロックコポリマーを含むポリアルキレンオキシドブロックコポリマー；ならびに他の同様の非イオン性化合物が挙げられる。ＡＢＩＬ（登録商標）Ｂ８８５２等のシリコーン界面活性剤も使用することができる。
【００４５】
好ましい実施形態では、非イオン性界面活性剤は、エチレンおよびプロピレンセグメントの両方を含有するアルコールアルコキシレート、ゲゲルベアルコールエトキシレート、もしくはポリエチレングリコールトリメチルノニルエーテル、またはそれらの任意の組み合わせである。
【００４６】
洗剤組成物中に使用することができるカチオン性界面活性剤としては、例えば、Ｃ１〜８アルキルまたはアルケニル鎖を有する第一級、第二級、および第三級モノアミンなどのアミン、エトキシル化アルキルアミン、エチレンジアミンのアルコキシレート、１−（２−ヒドロキシエチル）−２−イミダゾリン、２−アルキル−１−（２−ヒドロキシエチル）−２−イミダゾリン等のイミダゾール等；ならびに、例えば、アルキル四級塩化アンモニウム界面活性剤、例えば、塩化ｎ−アルキル（Ｃ１２〜Ｃ１８）ジメチルベンジルアンモニウム、塩化ｎ−テトラデシルジメチルベンジルアンモニウム一水和物、塩化ジメチル−１−ナフチルメチルアンモニウム等のナフタレン置換四級塩化アンモニウム等の四級アンモニウム塩等が挙げられる。カチオン性界面活性剤は、衛生化特性を提供するために使用され得る。
【００４７】
洗剤組成物中に使用することができる両性または双性イオン性界面活性剤としては、ベタイン、スルタイン、アミンオキシド、イミダゾリン、およびプロピネートが挙げられる。好ましい実施形態では、両性界面活性剤は、コカミドプロピルベタインおよび／またはアミンオキシドである。
【００４８】
アミラーゼが洗剤中に存在する場合、出願人は、アミラーゼ性能に対するアニオン性界面活性剤の効果に対抗するために、１つ以上の非イオン性共界面活性剤を含むことが望ましいことを見出した。効果的な共界面活性剤の例としては、エチレンおよびプロピレンセグメントの両方を含有する非イオン性界面活性剤であるアルコールアルコキシレート、ゲルベアルコールエトキシレート、またはポリエチレングリコールトリメチルノニルエーテル、ならびにポリエチレングリコールトリメチルノニルエーテルまたは分岐Ｃ８エチルヘキシル（ＰＯ）４〜８（ＥＯ）３、６、９、もしくは１４の非イオン性拡張界面活性剤等の分岐第二級非イオン性界面活性剤が挙げられる。
【００４９】
出願人は、オレフィンスルホン酸ナトリウム、ラウレルエーテル硫酸ナトリウム、アミンオキシド、およびコカミドプロピルベタインの組み合わせがすべてプロテアーゼと相乗的に作用することを見出した。別の実施形態では、アニオン性界面活性剤は、約４：１の比率でオレフィンスルホン酸ナトリウムとラウレルエーテルスルホン酸ナトリウムとが存在する。
【００５０】
洗剤中に存在するアニオン性界面活性剤の合計は、約５重量％〜約５５重量％、好ましくは約８重量％〜約５０重量％、および最も好ましくは約１０重量％〜約４５重量％である。
【００５１】
両性／非イオン性界面活性剤は、約０．０１重量％〜約３５重量％、約０．５重量％〜約３０重量％、および最も好ましくは約１重量％〜約２５重量％の量で存在する。
【００５２】
アミラーゼが存在する場合の追加の非イオン性共界面活性剤は、約０．０１重量％〜約１５重量％、約０．１重量％〜約１０重量％、および最も好ましくは約０．５重量％〜約５重量％を含み得る。
【００５３】
一実施形態では、洗剤は、上に列挙されたものに加えて、追加の界面活性剤を含むことができる。上記配合中に存在する界面活性剤の合計は、約１０重量％〜約６０重量％、より好ましくは約１５重量％〜５５重量％の範囲、および最も好ましくは約２０重量％〜５０重量％の範囲を含み得る。
【００５４】
一実施形態では、組成物は、様々な洗浄組成物中に含めるための界面活性剤酵素パッケージを含む。一実施形態は、プロテアーゼと、オレフィンスルホン酸ナトリウム、ラウレルエーテル硫酸ナトリウム、アミンオキシドおよびコカミドプロピルベタインと、を含む。別の実施形態では、パッケージは、アミラーゼおよびプロテアーゼと、オレフィンスルホン酸ナトリウム、ラウレルエーテル硫酸ナトリウム、アミンオキシド、およびコカミドプロピルベタインと、を１つ以上の分岐第二級非イオン性共界面活性剤と共に含む。組成物は、直鎖アルキルベンゼンスルホネートを含まず、パッケージは、約４部のオレフィンスルホン酸ナトリウムと約１部のラウレルエーテル硫酸ナトリウムとの比率を有することが好ましい。別の実施形態では、パケットは、アミラーゼおよびプロテアーゼの両方を含む。
【００５５】
増粘剤
洗剤組成物は、任意選択で、少量であるが有効量の増粘剤または充填剤のうちの１つ以上を含み得る。好適な増粘剤のいくつかの例としては、塩化ナトリウム、デンプン、糖類、プロピレングリコール等のＣ１〜Ｃ１０アルキレングリコール、硫酸塩、ＰＥＧ、尿素、酢酸ナトリウム、硫酸マグネシウム、酢酸ナトリウム、硫酸マグネシウム、炭酸ナトリウム等が挙げられ得る。いくつかの実施形態では、充填剤は、最大で約５０重量％の範囲、いくつかの実施形態では、約０．１重量％〜約２５重量％、約０．５重量％〜約２０重量％、最後に約１重量％〜約１５重量％の範囲の量で含まれ得る。
【００５６】
担体
いくつかの実施形態では、本発明の組成物は、担体を含む。担体は、組成物の他の成分を、溶解するか、懸濁させるか、または担持する媒体を提供する。本発明の組成物は、好ましくは水性担体、最も好ましくは水、好適には脱イオン水である好適な担体を含む。担体は、０〜９９重量％、好ましくは約１〜８０重量％、およびより好ましくは約１０重量％〜約６０重量％の量で存在し、組成物の残りを合計１００重量％に生成し、上述の成分に加えて、本明細書に記載するようにさらに希釈して使用溶液を形成することができる濃縮物組成物を形成する。
【００５７】
安定化剤
洗剤組成物はまた、安定化剤を含み得る。好適な安定化剤の例としては、ホウ酸塩、カルシウム／マグネシウムイオン、プロピレングリコール、およびそれらの混合物が挙げられるが、これらに限定されない。洗剤は、安定化剤を含む必要はないが、洗剤が安定化剤を含む場合、それは、組成物の所望のレベルの安定性を提供する量で含まれ得る。安定化剤の例示的な範囲には、最大でおよそ２０重量％、およそ０．０５重量％〜およそ１５重量％、およびおよそ０．１重量％〜およそ１０重量％、およびおよそ１重量％〜およそ５重量％が含まれる。
【００５８】
防腐剤
洗剤組成物は、任意選択で、１つ以上の防腐剤および／または殺生物剤を含み得る。多くの異なる種類の防腐剤および／または殺生物剤を洗剤組成物中に使用することができる。さらに、１つ以上の防腐剤および／または殺生物剤を洗剤組成物中に使用することができる。洗剤組成物に使用することができる防腐剤の例の非限定的な例としては、静カビ剤（ｍｉｌｄｅｗｓｔａｔ）もしくは静菌剤（ｂａｃｔｅｒｉｏｓｔａｔ）、メチル、エチルおよびプロピルパラベン、短鎖有機酸（例えば、酢酸、乳酸、および／もしくはグリコール酸）、ビスグアニジン化合物（例えば、Ｄａｎｔｏｇａｒｄおよび／もしくはＧｌｙｄａｎｔ）、ならびに／または短鎖アルコール（例えば、エタノールおよび／もしくはＩＰＡ）が挙げられるが、これらに限定されない。静カビ剤または静菌剤の非限定的な例としては、Ａｖｅｃｉａ  ＣｏｒｐｏｒａｔｉｏｎからのＰｒｏｘｅｌ  ＧＸＬおよびＶａｎｔｏｃｉｌ  ＩＢ、すべてＲｏｈｍ  ａｎｄ  ＨａａｓＣｏｍｐａｎｙから入手可能なＫａｔｈｏｎ  ＧＣ（５−クロロ−２−メチル−４−イソチアゾリン−３−オン）、ＫＡＴＨＯＮ  ＩＣＰ（２−メチル−４−イソチアゾリン−３−オン）、およびそれらのブレンド、ならびにＫＡＴＨＯＮ８８６（５−クロロ−２−メチル−４−イソチアゾリン−３−オン）、ならびにＮｅｏｌｏｎｅ  Ｍ−１０；Ｂｏｏｔｓ  Ｃｏｍｐａｎｙ  Ｌｔｄ．からのＢＲＯＮＯＰＯＬ（２−ブロモ−２−ニトロプロパン−１，３−ジオール）、ＩＣＩ  ＰＬＣからのＰＲＯＸＥＬ  ＣＲＬ（プロピル−ｐ−ヒドロキシヒドロキシベンゾエート）；Ｎｉｐａ  Ｌａｂｏｒａｔｏｒｉｅｓ  Ｌｔｄ．からのＮＩＰＡＳＯＬ  Ｍ（ｏ−フェニル−フェノール、ナトリウム塩）、すべてＤｏｗ  Ｃｈｅｍｉｃａｌ  Ｃｏ．からのＤＯＷＩＣＩＤＥ  Ａ（１，２−ベンゾイソチアゾリン−３−オン）、Ｄｏｗａｃｉｌ７５、およびＢｉｏｂａｎ、ならびにＣｉｂａ−Ｇｅｉｇｙ  Ａ．ＧからのＩＲＧＡＳＡＮ  ＤＰ  ２００（２，４，４’−トリクロロ−２−ヒドロキシジフェニルエーテル）、およびＳｕｒｅｔｙ  ＬａｂｏｒａｔｏｒｉｅｓからのＳｕｒｃｉｄｅ  Ｐ、Ｌｏｎｚａから市販されているＤａｎｔｏｇａｒｄＰｌｕｓ（例えば、１，３−ビス（ヒドロキシメチル）−５，５−ジメチルヒダントインおよびヒドロキシメチル−５，５−ジメチルヒダントイン）、Ａｎｇｕｓから市販されているＢｉｏｂａｎ  ＤＸＮ（例えば、ジメトキサン）等を含む静カビ剤（非イソチアゾリノン化合物を含む）が挙げられるが、これらに限定されない。殺生物剤の非限定的な例としては、第四級アンモニウム化合物およびフェノール樹脂が挙げられる。これらの第四級化合物の非限定的な例としては、塩化ベンザルコニウムおよび／または置換塩化ベンザルコニウム、ジ（Ｃ６〜Ｃ１４）アルキルジ短鎖（Ｃ１〜４アルキルおよび／またはヒドロキシアルキル）第四級アンモニウム塩、Ｎ−（３−クロロアリル）塩化ヘキサミニウム、塩化ベンゼトニウム、塩化メチルベンゼトニウム、もしくは塩化セチルピリジニウムが挙げられる。他の第四級化合物としては、塩化ジアルキルジメチルアンモニウム、塩化アルキルジメチルベンジルアンモニウム、塩化ジアルキルメチルベンジルアンモニウム、およびそれらの混合物からなる群が挙げられ、アルキルラジカルは、Ｃ１〜Ｃ２４であり得る。ビグアニド抗菌活性物質としては、ポリヘキサメチレンビグアニド塩酸塩、ｐ−クロロフェニルビグアニドが挙げられるが、これらに限定されず；４−クロロベンズヒドリルビグアニド、限定されるものではないがクロルヘキシジン（１，１’−ヘキサメチルレン−ビス−５−（４−クロロフェニルビグアニド）およびその塩等のハロゲン化ヘキシジンもこの分類に含まれる。１つ以上の防腐剤および／または殺生物剤が洗剤組成物中に含まれる場合、防腐剤および／または殺生物剤の量は、少なくとも約０．００１重量パーセントおよび約１重量パーセント未満、典型的には約０．００１〜１重量パーセント、より典型的には約０．００５〜０．５重量パーセント、さらにより典型的には約０．０１〜０．１重量パーセントである。
【００５９】
還元剤
酵素をさらに安定化するために、還元剤が洗剤中に含まれ得る。還元剤には、亜硫酸ナトリウム、メタ重亜硫酸ナトリウム、亜リン酸ナトリウム等の亜硫酸塩が含まれる。理論に束縛されるものではないが、亜硫酸塩または同様の材料の添加は、酵素がデンプン構造に浸透する能力を強化し、他の酵素−安定化剤の不存在下で効果的であると考えられている。これは、硫酸による酸加水分解修飾の技術と同様である。この修飾により、デンプンのゲル化機能が改善する。そのようなゲル化能力は、デンプン分子が余分な水を吸収することをもたらす。そのような余分な水の吸収により、浸透が増大し、それにより、アミラーゼ単独で用いるよりもデンプンの迅速な除去を可能にすると考えられている。
【００６０】
追加の成分
洗剤組成物は、キーラント、金属保護剤、水調整ポリマー、漂白剤、洗剤ビルダー、硬化剤または溶解度調整剤、消泡剤、再付着防止剤、閾値剤（ｔｈｒｅｓｈｏｌｄ  ａｇｅｎｔ）、分散剤、審美性向上剤（すなわち、色素剤、香料）等の他の添加剤を含み得る。アジュバント及び他の添加剤成分は、製造される組成物の種類によって異なるであろう。これらの添加剤は任意選択的であり、洗浄組成物中に含まれる必要はないことを理解されたい。それらが含まれる場合、それらは、特定の種類の成分の有効性を提供する量で含まれ得る。
【００６１】
アルカリ源
洗剤組成物は、アルカリ性源を含み得る。例示的なアルカリ性源には、アルカリ金属炭酸塩及び／またはアルカリ金属水酸化物が含まれる。
【００６２】
洗剤の配合物に使用されるアルカリ金属炭酸塩は、しばしば灰系洗剤と呼ばれ、炭酸ナトリウムをしばしば用いる。追加的なアルカリ金属炭酸塩には、例えば、炭酸ナトリウムまたは炭酸カリウムが含まれる。本発明の態様において、アルカリ金属炭酸塩は、メタケイ酸塩、重炭酸塩、及びセスキ炭酸塩を含むことがさらに理解される。本発明によると、任意の「灰系」または「アルカリ金属炭酸塩」は、全てのアルカリ金属炭酸塩、メタケイ酸塩、ケイ酸塩、重炭酸塩、及び／またはセスキ炭酸塩を含むことも理解されるべきである。
【００６３】
洗剤の配合物に使用されるアルカリ金属水酸化物は、しばしば腐食性洗剤と呼ばれる。好適なアルカリ金属水酸化物の例としては、水酸化ナトリウム、水酸化カリウム、及び水酸化リチウムが挙げられる。例示的なアルカリ金属塩には、炭酸ナトリウム、炭酸カリウム、及びそれらの混合物が含まれる。アルカリ金属水酸化物は、固体ビーズ、水性溶液中への溶解、またはそれらの組み合わせを含む、当該技術分野で既知である任意の形態で組成物に添加され得る。アルカリ金属水酸化物は、約１２〜１００のＵＳメッシュの範囲の混合した粒子サイズの混合物を有する小球化された固体もしくはビーズの形態の固体として、または水溶液として、例えば、４５重量％および５０重量％の溶液として、市販されている。
【００６４】
第１のアルカリ性源に加え、洗剤組成物は、第２のアルカリ性源を含んでもよい。有用な第２のアルカリ性源の例としては、ケイ酸またはメタケイ酸ナトリウムまたはカリウム等の金属ケイ酸塩；炭酸、重炭酸、セスキ炭酸ナトリウムまたはカリウム等の金属炭酸塩；ホウ酸ナトリウムまたはカリウム等の金属ホウ酸塩；ならびにエタノールアミン及びアミンが挙げられるが、これらに限定されない。かかるアルカリ性薬剤は、水性または粉末形態のいずれかで一般に入手可能であり、いずれも本発明の洗剤組成物の配合に有用である。
【００６５】
キレート剤
組成物はまた、組成物全体の０．０１重量％〜２５重量％、好ましくは０．０５重量％〜２０重量％、より好ましくは０．１重量％〜１５重量％のレベルでキーラントを含み得る。本明細書において、キレート化とは、二座または多座リガンドの結合または複合体形成を意味する。これらのリガンドは、多くの場合、有機化合物であり、キーラント（ｃｈｅｌａｎｔ）、キレーター、キレート剤（ｃｈｅｌａｔｉｎｇ  ａｇｅｎｔ）、および／または金属イオン封鎖剤と呼ばれる。キレート剤は、単一の金属イオンと複数の結合を形成する。キーラントは、特定の金属イオンと可溶性複合体分子を形成する化学物質であり、それらが他の元素またはイオンと正常に反応して沈殿物またはスケールを生成することができないように、それらのイオンを不活性化する。リガンドは、基材とキレート複合体を形成する。用語は、金属イオンがキーラントの２つ以上の原子に結合している複合体のものである。キーラントは、結晶成長阻害特性を有するもの、すなわち、炭酸カルシウムおよび炭酸マグネシウムの小粒子と相互作用し、それらが硬いスケール沈積に凝集することを阻止するものである。粒子は互いに弾き、水中に懸濁したままであるか、または堆積し得る緩い凝集物を形成する。これらの緩い凝集物は、容易にすすぎ流され、堆積物を形成しない。
【００６６】
好適なキレート剤は、アミノカルボキシレート（これは、金属保護に使用されるものと同じアミノカルボキシレートであっても、追加的なさらなるアミノカルボキシレートであってもよい）、アミノホスホン酸塩、多官能性置換芳香族キレート剤、およびそれらの混合物からなる群から選択され得る。本明細書における使用に好ましいキーラントは、アミノ酸系キーラント、および好ましくはクエン酸塩、酒石酸塩、およびグルタミン酸−Ｎ，Ｎ二酢酸、ならびに誘導体、ならびに／またはホスホン酸塩系キーラントおよび好ましくはジエチレントリアミンペンタメチルホスホン酸等の弱キーラントである。
【００６７】
アミノカルボキシレートとしては、エチレンジアミンテトラ−アセテート、Ｎ−ヒドロキシルエチルエチレンジアミントリアセテート、ニトリロ−トリアセテート、エチレンジアミンテトラプロ−プリオネート、トリエチレンテトラアミンヘキサアセテート、ジエチレントリアミンペンタアセテート、およびエタノールジ−グリシン、アルカリ金属、アンモニウム、ならびにそれらの中の置換アンモニウム塩、ならびにそれらの中の混合物が挙げられる。ならびに、ＭＧＤＡ（メチル−グリシン−ジ酢酸）、ならびにそれらの塩および誘導体、ならびにＧＬＤＡ（グルタミン酸−Ｎ，Ｎ−ジ酢酸）、ならびにそれらの塩および誘導体。ＧＬＤＡ（それらの塩および誘導体）が、特に好ましく、それらの四ナトリウム塩が特に好ましい。
【００６８】
他の好適なキレート剤には、アミノ酸系化合物またはコハク酸塩系化合物が含まれる。「コハク酸塩系化合物」および「コハク酸系化合物」という用語は、本明細書において互換的に使用される。他の好適なキレート剤は、米国特許第６，４２６，２２９号に記載されている。特定の好適なキレート剤には、例えば、アスパラギン酸−Ｎ−モノ酢酸（ＡＳＭＡ）、アスパラギン酸−Ｎ，Ｎ−二酢酸（ＡＳＤＡ）、アスパラギン酸−Ｎ−モノプロピオン酸（ＡＳＭＰ）、イミノジコハク酸（ＩＤＳ）、イミノ二酢酸（ＩＤＡ）、Ｎ−（２−スルホメチル）アスパラギン酸（ＳＭＡＳ）、Ｎ−（２−スルホエチル）アスパラギン酸（ＳＥＡＳ）、Ｎ−（２−スルホメチル）グルタミン酸（ＳＭＧＬ）、Ｎ−（２−スルホエチル）グルタミン酸（ＳＥＧＬ）、Ｎ−メチルイミノ二酢酸（ＭＩＤＡ）、アラニン−Ｎ，Ｎ−二酢酸（ＡＬＤＡ）、セリン−Ｎ，Ｎ−二酢酸（ＳＥＤＡ）、イソセリン−Ｎ，Ｎ−二酢酸（ＩＳＤＡ）、フェニルアラニン−Ｎ，Ｎ−二酢酸（ＰＨＤＡ）、アントラニル酸−Ｎ，Ｎ−二酢酸（ＡＮＤＡ）、スルファニル酸−Ｎ，Ｎ−二酢酸（ＳＬＤＡ）、タウリン−Ｎ，Ｎ−二酢酸（ＴＵＤＡ）、及びスルホメチル−Ｎ，Ｎ−二酢酸（ＳＭＤＡ）、及びそれらのアルカリ金属塩またはアンモニウム塩が含まれる。米国特許第４，７０４，２３３号に記載されているような、エチレンジアミンジコハク酸塩（「ＥＤＤＳ」）、特に［Ｓ，Ｓ］異性体が好適である。さらに、ヒドロキシエチレンイミノ二酢酸、ヒドロキシイミノジコハク酸、ヒドロキシエチレンジアミン三酢酸も好適である。アラニン，Ｎ，Ｎ−ビス（カルボキシメチル）−，トリナトリウム塩が特に好ましい。
【００６９】
他のキーラントとしては、ポリカルボン酸およびそれらの部分的または完全に中和された塩のホモポリマーおよびコポリマー、モノマーポリカルボン酸およびヒドロキシカルボン酸、ならびにそれらの塩が挙げられる。上述の化合物の好ましい塩は、アンモニウムおよび／またはアルカリ金属塩、すなわち、リチウム塩、ナトリウム塩、およびカリウム塩であり、特に好ましい塩は、ナトリウム塩である。
【００７０】
好適なポリカルボン酸は、非環式、脂環式、多環式、および芳香族カルボン酸であり、この場合、それらは、それぞれ好ましくは２つ以下の炭素原子によって互いから分離している少なくとも２つのカルボキシル基を含有する。２つのカルボキシル基を含むポリカルボキシレートには、例えば、マロン酸、（エチルエネジオキシ）二酢酸、マレイン酸、ジグリコール酸、酒石酸、タルトロン酸、およびフマル酸の水溶性塩が含まれる。３つのカルボキシル基を含有するポリカルボキシレートには、例えば、水溶性クエン酸塩が含まれる。相応に、好適なヒドロキシカルボン酸は、例えば、クエン酸である。別の好適なポリカルボン酸は、アクリル酸のホモポリマーである。スルホネートでエンドキャップされたポリカルボキシレートが好ましい。
【００７１】
アミノホスホネートもまた、キレート剤としての使用に好適であり、エチレンジアミンテトラキス（メチレンホスホネート）をＤＥＱＵＥＳＴとして含む。約６個超の炭素原子を有するアルキルまたはアルケニル基を含有しないこれらのアミノホスホネートが好ましい。
【００７２】
多官能置換芳香族キレート剤もまた、米国特許第３，８１２，０４４号に記載されているような本明細書の組成物において有用である。酸形態であるこの種類の好ましい化合物は、１，２−ジヒドロキシ−３，５−ジスルホベンゼンなどのジヒドロキシジスルホベンゼンである。
【００７３】
本明細書における使用のためのさらなる好適なポリカルボキシレートキーラントには、全て好ましくは水溶性塩の形態である、クエン酸、乳酸、酢酸、コハク酸、ギ酸が含まれる。他の好適なポリカルボキシレートは、米国特許第４，６６３，０７１号に記載されているような、オキソジスクシネート、カルボキシメチルオキシスクシネート、ならびに酒石酸モノコハク酸および酒石酸ジコハク酸の混合物である。
【００７４】
腐食抑制剤／金属保護剤
洗剤組成物はまた、腐食抑制剤を含み得る。一般に、腐食抑制剤成分は、それが少なくとも８．０のｐＨに供されると、カルシウムを緩く保持して、任意の炭酸カルシウムの沈澱を低減させる（それがアルカリ性源として使用されている場合）ことが予想させる。
【００７５】
例示的な腐食抑制剤には、ホスホノカルボン酸、ホスホン酸塩、リン酸塩、ポリマー、及びそれらの混合物が含まれる。例示的なホスホノカルボン酸には、ＢａｙｅｒからＢａｙｈｉｂｉｔ（商標）ＡＭの名称で利用可能なものが含まれ、２−ホスホノブタン−１，２，４，トリカルボン酸（ＰＢＴＣ）が含まれる。例示的なホスホン酸塩には、アミノトリ（メチレンホスホン酸）、１−ヒドロキシエチリデン１−１−ジホスホン酸、エチレンジアミンテトラ（メチレンホスホン酸）、ヘキサメチレンジアミンテトラ（メチレンホスホン酸）、ジエチレントリアミンペンタ（メチレンホスホン酸）、及びそれらの混合物が含まれる。例示的なホスホン酸塩は、ＭｏｎｓａｎｔｏからＤｅｑｕｅｓ（商標）の名称で利用可能である。例示的なポリマーには、ポリアクリレート、ポリメタクリレート、ポリアクリル酸、ポリイタコン酸、ポリマレイン酸、スルホン化ポリマー、ならびにそれらのコポリマー及び混合物が含まれる。この混合物は、同じ一般クラス内の異なる酸置換ポリマーの混合物を含み得ることを理解されたい。さらに、酸置換ポリマーの塩が使用され得ることを理解されたい。有用なカルボキシル化ポリマーは、ポリアクリル酸及びポリメタクリル酸等の水溶性カルボン酸ポリマー、またはビニル付加ポリマーとして一般的に分類され得る。企図されるビニル付加ポリマーのうち、酢酸ビニル、スチレン、エチレン、イソブチレン、アクリル酸、及びビニルエーテルと同様に無水マレイン酸コポリマーが例である。ポリマーは、水溶性であるか、または少なくとも水中にコロイド性に分散可能である傾向にある。これらのポリマーの分子量は、幅広い範囲で変動し得るが、１，０００から最大１，０００，０００の平均分子量、より好ましくは１００，０００未満の分子量、及び最も好ましくは１，０００〜１０，０００の分子量を有するポリマーを使用することが好ましい。
【００７６】
ポリマーまたはコポリマー（酸置換ポリマーまたは他の付加ポリマーのいずれか）は、付加または加水分解技術のいずれかによって調製され得る。このように、無水マレイン酸コポリマーは、無水マレイン酸およびスチレンなどの別のコモノマーの付加重合によって調製される。低分子量アクリル酸ポリマーは、アクリル酸またはその塩の、それ自体または他のビニルコモノマーとの付加重合によって調製され得る。代替的に、そのようなポリマーは、低分子量アクリロニトリルホモポリマーまたはコポリマーのアルカリ加水分解によって調製され得る。そのような調製技術については、Ｎｅｗｍａｎの米国特許第３，４１９，５０２号を参照されたい。
【００７７】
腐食抑制剤／金属保護剤は、濃縮物の重量に基づいて、約０．０５重量％〜約１５重量％の範囲、より好ましくは約０．５重量％〜約１０重量％の範囲、および最も好ましくは約１重量％〜７．５重量％で提供され得る。ポリマー、ホスホノカルボン酸塩、及びホスホン酸塩は、単独でまたは組み合わせで使用され得ることを理解されたい。
【００７８】
水調整ポリマー
一実施形態では、洗剤組成物は、水調整ポリマーを含む。いくつかの態様では、水調整ポリマーは、洗剤組成物のための二次ビルダーまたはスケール抑制剤である。特定の理論に限定されものではないが、アミノカルボキシレートと水調整ポリマーとの併用は、腐食性を含まない洗剤組成物を採用する処理された表面上でのスケール蓄積の相乗的な抑制を提供する。
【００７９】
一態様では、水調整ポリマーは、ポリアクリレート、ポリカルボキシレート、またはポリカルボン酸である。ビルダーおよび／または水調整ポリマーとして使用することができる例示的なポリカルボキシレートとしては、ペンダントカルボキシレート（−ＣＯ２−）基を有するもの、例えば、アクリル酸ホモポリマー、ポリアクリル酸、マレイン酸、マレイン酸／オレフィンコポリマー、スルホン化コポリマーまたはターポリマー、アクリル酸／マレイン酸コポリマー、ポリメタクリル酸、アクリル酸−メタクリル酸コポリマー、加水分解ポリアクリルアミド、加水分解ポリメタクリルアミド、加水分解ポリアミド−メタクリルアミドコポリマー、加水分解ポリアクリロニトリル、加水分解ポリメタクリロニトリル、および加水分解アクリロニトリル−メタクリロニトリルコポリマーが挙げられるが、それらに限定されない。水調整ポリマーのさらなる考察については、その開示が参照により本明細書に組み込まれる、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｔｈｉｒｄ  Ｅｄｉｔｉｏｎ，ｖｏｌｕｍｅ  ５，ｐａｇｅｓ  ３３９−３６６およびｖｏｌｕｍｅ  ２３，ｐａｇｅｓ  ３１９−３２０を参照されたい。
【００８０】
一実施形態によれば、水調整ポリマーは、非リンポリマーであり得る。さらなる実施形態では、中和ポリカルボン酸ポリマーは、水調整ポリマーとして使用される。例示的な中和ポリカルボン酸は、Ａｃｕｍｅｒ１０００（Ｒｏｈｍ＆Ｈａａｓ  Ｃｏｍｐａｎｙ）として市販されている。
【００８１】
一態様では、洗剤組成物は、約０．０５重量％〜１５重量％の水調整ポリマー、約０．１重量％〜１０重量％の水調整ポリマー、好ましくは約１重量％〜５重量％の水調整ポリマーを含む。水調整ポリマーは、硬水中の洗剤の使用溶液（例えば、１７または２０グレーンの水硬度）が沈殿物の形成を引き起こさないようなレベルで存在する。
【００８２】
再付着防止剤
本組成物は、洗浄溶液中での汚れの持続した懸濁を促進し、除去された汚れが洗浄された基材上に再付着するのを防ぐための再付着防止剤を含み得る。好適な再付着防止剤の例としては、脂肪酸アミド、フルオロカーボン界面活性剤、複合リン酸エステル、スチレン無水マレイン酸コポリマー、およびヒドロキシエチルセルロース、ヒドロキシプロピルセルロース等のセルロース誘導体が挙げられる。好ましい実施形態では、再付着防止剤は、濃縮物中に含まれる場合、約０．５重量％〜約１０重量％、およびより好ましくは約１重量％〜約５重量％の量で添加される。
【００８３】
分散剤
使用され得る分散剤には、マレイン酸／オレフィンコポリマー、ポリアクリル酸、およびそれらの混合物が含まれる。濃縮物は、分散剤を含む必要はないが、分散剤が含まれる場合、それは、所望の分散特性を提供する量で含まれ得る。濃縮物中の分散剤の例示的な範囲には、約０〜約２０重量％、より好ましくは約０．５重量％〜約１５重量％、および最も好ましくは約２重量％〜約９重量％が含まれる。
【００８４】
追加の酵素
デンプン、タンパク質等の強固な汚れの汚れ除去を補助するために、追加酵素が組成物中に含まれ得る。酵素の例示的な種類には、プロテアーゼ、アルファ−アミラーゼ、及びこれらの混合物が含まれる。使用され得る例示的なプロテアーゼには、バチルス・リケニフォルミス、バチルス・レヌス（Ｂａｃｉｌｌｕｓ  ｌｅｎｕｓ）、バチルス・アルカロフィラス（Ｂａｃｉｌｌｕｓ  ａｌｃａｌｏｐｈｉｌｕｓ）、およびバチルス・アミロリケファシエンスに由来するものが含まれる。例示的なアルファ−アミラーゼには、バチルス・サブティリス、バチルス・アミロリケファシエンス、およびバチルス・リケニフォルミスが含まれる。濃縮物は、酵素を含む必要はない。濃縮物が酵素を含む場合、それは、物品組成物が使用組成物として提供されたときに所望の酵素活性を提供する量で含まれ得る。濃縮物中の追加の酵素の例示的な範囲には、約０〜約１５重量％、より好ましくは約０．５重量％〜約１０重量％、および最も好ましくは約１重量％〜約５重量％が含まれる。
【００８５】
染料、付臭剤等
多様な色素剤、香料を含む付臭剤、及び他の審美性向上剤が組成物中に含まれ得る。組成物の外観を変化させるために、色素剤、例えば、Ｄｉｒｅｃｔ  Ｂｌｕｅ  ８６（Ｍｉｌｅｓ）、Ｆａｓｔｕｓｏｌ  Ｂｌｕｅ（Ｍｏｂａｙ  Ｃｈｅｍｉｃａｌ  Ｃｏｒｐ．）、Ａｃｉｄ  Ｏｒａｎｇｅ  ７（Ａｍｅｒｉｃａｎ  Ｃｙａｎａｍｉｄ）、Ｂａｓｉｃ  Ｖｉｏｌｅｔ  １０（Ｓａｎｄｏｚ）、Ａｃｉｄ  Ｙｅｌｌｏｗ  ２３（ＧＡＦ）、Ａｃｉｄ  Ｙｅｌｌｏｗ  １７（Ｓｉｇｍａ  Ｃｈｅｍｉｃａｌ）、Ｓａｐ  Ｇｒｅｅｎ（Ｋｅｙｓｔｏｎｅ  Ａｎａｌｉｎｅ  ａｎｄ  Ｃｈｅｍｉｃａｌ）、Ｍｅｔａｎｉｌ  Ｙｅｌｌｏｗ（Ｋｅｙｓｔｏｎｅ  Ａｎａｌｉｎｅ  ａｎｄ  Ｃｈｅｍｉｃａｌ）、Ａｃｉｄ  Ｂｌｕｅ  ９（Ｈｉｌｔｏｎ  Ｄａｖｉｓ）、Ｓａｎｄｏｌａｎ  Ｂｌｕｅ／Ａｃｉｄ  Ｂｌｕｅ  １８２（Ｓａｎｄｏｚ）、Ｈｉｓｏｌ  Ｆａｓｔ  Ｒｅｄ（Ｃａｐｉｔｏｌ  Ｃｏｌｏｒ  ａｎｄ  Ｃｈｅｍｉｃａｌ）、Ｆｌｕｏｒｅｓｃｅｉｎ（Ｃａｐｉｔｏｌ  Ｃｏｌｏｒ  ａｎｄ  Ｃｈｅｍｉｃａｌ）、Ａｃｉｄ  Ｇｒｅｅｎ  ２５（Ｃｉｂａ−Ｇｅｉｇｙ）等が含まれ得る。
【００８６】
組成物中に含まれ得る芳香剤もしくは香料は、例えば、シトロネラール等のテルペノイド、アミルシンナムアルデヒド等のアルデヒド、Ｃ１Ｓ−ジャスミンもしくはジャスマル等のジャスミン、バニリン等を含む。
【００８７】
配合物
洗剤は、液体、自由流動性の粒状形態、粉末、固体ブロック、ゲル、ペースト、スラリー、および泡を含む任意の形態であるすぐに使用可能な溶液または濃縮溶液中で配合され得る。
【００８８】
成分は、成分が全体にわたって実質的に均一に分配された、実質的に均質な稠度を形成するように混合される。混合物は、ダイまたは他の成形手段によって、混合システムから排出され得る。
【００８９】
使用方法
洗剤組成物を採用する使用方法は、手動の食器洗浄に特に好適である。洗浄組成物は、濃縮物、すぐに使用可能な組成物、または使用溶液として分配することができる。組成物は、洗浄される物品、シンク内、または水に直接塗布して、使用溶液を形成することができる。使用溶液は、予浸用途中、手動洗浄用途の直前、または手動洗浄用途中に物品表面に塗布することができる。
【００９０】
洗剤はまた、施設用の食器洗浄にも使用することができる。食器洗浄用途の例示的な開示は、そこに引用される全ての参考文献を含む、米国特許出願第１３／４７４，７７１号、第１３／４７４，７８０号、および第１３／１１２，４１２号に記述され、これらはその全体が参照により本明細書に組み込まれる。本方法は、任意の消費者向けまたは施設用の食器洗浄機において実行され得、例えば、全ての図および図面を含むその全体が参照により本明細書に組み込まれる、米国特許第８，０９２，６１３号に記載されるものを含む。食器洗浄機のいくつかの非限定的な例としては、ドア型機械またはフード型機械、コンベヤ型機械、カウンター下機械、グラスウォッシャー、フライト機械、鍋釜用機械、用具洗浄機、及び消費者向け食器洗浄機が挙げられる。食器洗浄機は、一槽式または多槽式洗浄機のいずれかであり得る。
【００９１】
フード型食器洗浄機とも呼ばれるドア型食器洗浄機は、汚れた食器がラック上に置かれ、その後ラックが食器洗浄機内に移動する商業用食器洗浄機を指す。ドア型食器洗浄機は、一度に１つまたは２つのラックを洗浄する。かかる機械において、ラックは静止し、洗浄及びすすぎアームが移動する。ドア型機械は、洗浄アーム及びすすぎアームのセット、またはすすぎアームのセットの２つのアームのセットを含む。
【００９２】
ドア型機械は、高温または低温機であり得る。高温機において、食器は熱水によって衛生化される。低温機において、食器は化学的洗浄剤によって衛生化される。ドア型機械は、再循環機または廃棄充填機（ｄｕｍｐ  ａｎｄ  ｆｉｌｌ  ｍａｃｈｉｎｅ）のいずれかであり得る。再循環機において、洗剤溶液は、洗浄サイクル間で再利用または「再循環」される。適切な濃度が維持されるように、洗剤溶液の濃度は、洗浄サイクル間で調節される。廃棄充填機において、洗浄溶液は洗浄サイクル間で再利用されない。次の洗浄サイクルの前に、新しい洗剤溶液が添加される。ドア型機械のいくつかの非限定的な例としては、Ｅｃｏｌａｂ  Ｏｍｅｇａ  ＨＴ、Ｈｏｂａｒｔ  ＡＭ−１４、Ｅｃｏｌａｂ  ＥＳ−２０００、Ｈｏｂａｒｔ  ＬＴ−１、ＣＭＡ  ＥＶＡ−２００、Ａｍｅｒｉｃａｎ  Ｄｉｓｈ  Ｓｅｒｖｉｃｅ  Ｌ−３ＤＷ及びＨＴ−２５、Ａｕｔｏｃｈｌｏｒ  Ａ５、Ｃｈａｍｐｉｏｎ  Ｄ−ＨＢ、ならびにＪａｃｋｓｏｎ  Ｔｅｍｐｓｔａｒが挙げられる。
【００９３】
洗剤組成物の使用用途のさらなる例としては、例えば、グリルおよびオーブン洗浄剤、食器洗浄用剤、排水管洗浄剤、硬質表面洗浄剤、外科用器具用洗浄剤、食器洗浄予浸剤、食器洗浄洗剤、飲料機洗浄剤、脱脂剤、ならびに焦げ付き汚れ除去剤として効果的なアルカリ性洗剤が挙げられる。
【００９４】
特定の実施形態では、洗剤組成物は、使用の前または使用の時点で、水源と混合され得る。他の実施形態では、洗剤組成物は、使用溶液の形成及び／またはさらなる希釈を必要とせず、さらなる希釈を伴わずに使用され得る。
【００９５】
固体洗剤組成物を採用する態様では、水源が洗剤組成物と接触して、固体洗剤組成物、特に粉末を、使用溶液に変換する。さらなる分配システムが利用され得、これは代替的な固体洗剤組成物を使用溶液に変換するためにより好適である。本方法は、例えば、押し出されたブロックまたは「カプセル」の種類のパッケージを含む、様々な固体洗剤組成物の使用を含む。一態様では、ディスペンサーを採用し、水を噴霧して（例えば、ノズルからの噴霧パターンにおいて）、洗剤使用溶液を形成することができる。例えば、水は、装置または他の保持リザーバに向かって洗剤組成物と共に噴霧され得、水は固体洗剤組成物を溶解して、使用溶液を形成する。特定の実施形態では、使用溶液は、洗浄組成物の溶解溶液が使用のために分配されるまで、重力によって下向きに滴るように構成され得る。一態様では、使用溶液は、食器の手動洗浄または浸漬のために、浴槽または２槽もしくは３槽のコンパートメントシンク等のシンクの中に分配され得る。
【００９６】
使用組成物
組成物は、濃縮組成物および使用組成物を含む。例えば、濃縮組成物は、使用組成物を形成するために、例えば、水で希釈され得る。一実施形態では、濃縮組成物は、対象物への塗布の前に使用溶液に希釈され得る。経済面の理由から、濃縮物が売られ、エンドユーザは、濃縮物を水または水性希釈剤で使用溶液に希釈することができる。
【００９７】
濃縮組成物中の活性成分のレベルは、意図される希釈倍率および組成物の所望の活性に依拠する。一般に、約１液量オンス対約１０ガロンの水から、約１０液量オンス対約１ガロンの水の希釈が、水性組成物に関して使用される。いくつかの実施形態において、高温の使用温度（２５℃超）または長時間の曝露時間（３０秒超）が用いられ得る場合には、より高い使用希釈が用いられ得る。典型的な使用位置において、濃縮物は、一般に入手可能な水道水または上水を使用して、大部分の比率の水を用いて水１００ガロン当たり約３〜約４０オンスの濃縮物の希釈率で希釈される。
【００９８】
他の実施形態では、使用組成物は、約０．０１〜約１０重量％の濃縮組成物および約９０〜約９９．９９重量％の希釈剤、または約０．１〜約１重量％の濃縮組成物および約９９〜約９９．９重量％の希釈剤を含み得る。
【００９９】
使用組成物中の成分の量は、濃縮組成物について上記に列挙される量およびそれらの希釈倍率から計算することができる。これらの値および範囲の間の全ての値および範囲は、本開示によって包含されることが理解されるべきである。
【０１００】
サンプル配合
全て、組成物の重量パーセントである。本明細書に記載される追加の成分は、最大で組成物の０．００１〜約１５重量％に及び得る。
【表１】
2021526181.tif 000003
【０１０１】
本明細書における全ての刊行物および特許出願は、本開示が関連する当業者のレベルを示している。すべての刊行物および特許出願は、あたかも各個々の刊行物または特許出願が具体的かつ個々に参照により組み込まれるのと同程度に、参照により本明細書に組み込まれる。
【０１０２】
実施形態は、以下の非限定的な実施例においてさらに定義する。これらの実施例は、本発明の特定の実施形態を示してはいるが、単に例証として付与されることを理解されたい。上記の考察およびこれらの実施例から、当業者は、本質的な特徴を確認し得、その趣旨および範囲から逸脱することなく、様々な利用法および条件にそれを適合するために実施形態の様々な変更および修正を行い得る。したがって、本明細書に示され、説明されるものに加えて、実施形態の様々な修正は、前述の説明から当業者に明らかとなろう。かかる修正もまた、添付の特許請求の範囲の範疇であることが意図される。
【実施例】
【０１０３】
このプロジェクトの範囲は、１つまたは複数の酵素を用いた酵素汚れ除去技術を利用した食器洗浄洗剤組成物を開発することであった。市販のインライン液体深鍋および平鍋用洗剤がベンチマーク製品であった。浸漬および複雑な汚れ除去などの追加の利点を有する洗剤が望ましい。これらの製品は、既存の製品と同様の物理的および化学的特性（例えば、分配プロファイル、中性ｐＨ付近の低アルカリ性、および高発泡）を維持しながら、より強力な汚れ除去性能および大幅な浸漬利益の両方を提供することを目的としている。市販の配合は、いずれの酵素も含有しておらず、オレフィンスルホネート、ラウリルエーテルサルフェート、およびアミンオキシドの界面活性剤パッケージが含まれる。
【０１０４】
以下のデータを、試験方法「硬質表面洗浄用途でのタンパク質汚れの酵素除去（Ｅｎｚｙｍａｔｉｃ  Ｒｅｍｏｖａｌ  ｏｆ  Ｐｒｏｔｅｉｎ  Ｓｏｉｌ  ｉｎ  Ｈａｒｄ−Ｓｕｒｆａｃｅ  Ｃｌｅａｎｉｎｇ  Ａｐｐｌｉｃａｔｉｏｎｓ）」および「硬質表面洗浄用途でのデンプン汚れの酵素除去（Ｅｎｚｙｍａｔｉｃ  Ｒｅｍｏｖａｌ  ｏｆ  Ｓｔａｒｃｈ  Ｓｏｉｌ  ｉｎ  Ｈａｒｄ−Ｓｕｒｆａｃｅ  Ｃｌｅａｎｉｎｇ  Ａｐｐｌｉｃａｔｉｏｎｓ）」を使用して収集した。どちらの方法も、汚れ除去性能評価のために市販のメラミンタイルを利用している。ＤＭ０６、チーズ（焼き付け）メラミンタイルを、硬質表面上のタンパク質汚れを表すために使用する。ＤＭ７９、馬鈴薯デンプン（着色）メラミンタイルを、硬質表面上のデンプン汚れを表すために使用する。すべてのタイルを、ＨｕｎｔｅｒＬａｂ比色計を使用して、浸漬試験の前後の明暗反射値Ｌにおける差ΔＬを測定することによって評価する。
【０１０５】
Ｎｏｖｏｚｙｍｅｓからの市販のプロテアーゼであるＬｉｑｕａｎａｓｅ  Ｅｖｉｔｙ３．５Ｌを、標準的な手動の深鍋および平鍋用条件下（例えば、高発泡界面活性剤を用いる、ｐＨ８、１２０Ｆ）で試験するためのプロテアーゼの典型的例として識別した。Ｎｏｖｏｚｙｍｅｓからの市販のアミラーゼであるＡｍｐｌｉｆｙ２４Ｌを、これらの条件下で試験するための典型的なアミラーゼとして識別した。また、最近商品化されたアミラーゼであるＡｍｐｌｉｆｙ  Ｐｒｉｍｅ１００Ｌを試験した。ＬｉｑｕａｎａｓｅとＡｍｐｌｉｆｙ（またはＡｍｐｌｉｆｙ  Ｐｒｉｍｅ）との組み合わせは、単一の酵素が存在する際よりも、タンパク質が豊富な汚れの除去およびデンプンが豊富な汚れの除去の両方で大きな利点を示した。本明細書で論じられる配合物は、これらのプロテアーゼ−アミラーゼの組み合わせの相乗効果に依拠しているが、最適化された界面活性剤パッケージを有する単一の酵素の使用も企図している。
【０１０６】
ベンチマーク洗剤（オレフィンスルホネート、ラウリルエーテル硫酸ナトリウム、およびアミンオキシド）中のアニオン性および両性界面活性剤は、タンパク質汚れ除去においてプロテアーゼと相乗的であることを見出したが、これらの界面活性剤はいずれもアミラーゼと理想的なものではなかった。したがって、新しい試作品の酵素深鍋および平鍋用配合物では、分岐第二級アルコールエトキシレート界面活性剤（ポリエチレングリコールトリメチルノニルエーテル、Ｄｏｗ  ＣｈｅｍｉｃａｌからＴｅｒｇｉｔｏｌ  ＴＭＮ−６として市販されている）または分岐Ｃ８エチルヘキシル（ＰＯ）５（ＥＯ）９非イオン性拡張界面活性剤（Ｄｏｗ  ＣｈｅｍｉｃａｌからＥｃｏｓｕｒｆ  ＥＨ−９として市販されている）を含む、アミラーゼ性能について好ましい界面活性剤を識別し、いずれかの添加により、アミラーゼ性能が向上し、濃縮物中の酵素安定性において利点を提供することが示された。Ｓｔｅｐａｎから市販されているコカミドプロピルベタイン（ＣＡＰＢ）であるＡｍｐｈｏｓｏｌ  ＣＧは、ＳＬＥＳ（ラウレルエーテル硫酸ナトリウム）と非常に類似したプロテアーゼおよびアミラーゼの適合性、発泡プロファイル、ならびに汚れ除去性能を有することを見出した。ＣＡＰＢはまた、皮膚低刺激性（ｓｋｉｎ  ｍｉｌｄｎｅｓｓ）の利点を追加する。Ｔｅｒｇｉｔｏｌ  ＴＭＮ−６およびＣＡＰＢを含む配合物全体を以下に示す。
【表２】
2021526181.tif 000004
【０１０７】
性能試験では、試作品の配合のほとんどを、色素剤、芳香剤、防腐剤、または酵素を用いずに調製した。試験中に酵素をＲＴＵ溶液の中に投入した。色素剤、芳香剤、酵素適合性防腐剤を添加しても、試作品のいずれも酵素の性能または安定性は変化しない。試作品６を、市販の洗剤配合と同じ界面活性剤パッケージを用いて、同じ重量の洗剤投与量および同じ濃度の酵素を使用して両方の酵素を添加した実験配合である試作品１と比較した。
【表３】
2021526181.tif 000005
【０１０８】
図１および図２は、Ｌｉｑｕａｎａｓｅのみ、Ａｍｐｌｉｆｙのみ、および両方の酵素を用いた試作品６および１のタンパク質汚れ除去およびデンプン汚れ除去についてのプロットを示す。これらのプロットは、Ｌｉｑｕａｎａｓｅのみを追加した場合、試作品１と６の間に性能の差がなかったことを示している。しかし、アミラーゼが好ましい界面活性剤を含む試作品６は、Ｌｉｑｕａｎａｓｅの有無にかかわらず、Ａｍｐｌｉｆｙを伴う条件において試作品１よりも良好な性能を明らかに示した。各図では、両方の酵素が存在する場合、プロテアーゼとアミラーゼの間に相乗的な相互作用がある。破線は、界面活性剤単独、または任意の酵素以外の深鍋および平鍋用配合物についての基本応答を示す。酵素が一緒に存在する場合の相乗効果を示す。これは、２つの異なる種類の汚れに当てはまり、これらのどちらもタンパク質とデンプンの混合物を含有している。
【０１０９】
試作品１および６のタンパク質およびデンプンの汚れ除去性能もまた、他の非酵素深鍋および平鍋用製品と比較した。これらの製品のすべてを、表４に示すように、それらの推奨された高投与量で投与した。性能結果を、図３および４に示す。
【表４】
2021526181.tif 000006
【０１１０】
既存の非酵素製品は、タンパク質が豊富またはデンプンが豊富な汚れの除去ではうまく働かなかった。それらの性能は、炭酸緩衝剤溶液中にタイルを浸漬することとあまり違いは無かった。酵素試作品１および６は、図３および４に示すように、タンパク質が豊富およびデンプンが豊富な汚れを除去する際にかなり良好であった。
【０１１１】
いくつかの配合物を、濃縮物中の酵素の貯蔵寿命安定性について研究した。配合物には、１．５％ｗ／ｗもしくは１．９％ｗ／ｗのＬｉｑｕａｎａｓｅ  Ｅｖｉｔｙ３．５Ｌ、０．５％ｗ／ｗもしくは１．０％ｗ／ｗのＡｍｐｌｉｆｙ２４Ｌ、または両方の酵素の組み合わせを投与した。酵素（複数可）を添加すると、サンプルを、２２または２５℃、３０℃、３７℃、および４９℃で保存した。時間ゼロの対照サンプルを、初期活性を維持するためにすぐに凍結した。サンプルを、２、４、８、および１２週間の培養時間で引き出し、凍結した。酵素活性データを、時間ゼロでの初期回復に対する酵素活性の保持率として表示している。
【０１１２】
ＬｉｑｕａｎａｓｅおよびＡｍｐｌｉｆｙを用いた５つの異なる配合物を比較した。配合１は、酵素を添加したインラインの市販の液体洗剤である。配合２は、第四級アンモニウム化合物（ｑｕａｔ）−アニオン性相互作用に焦点を当てた実験配合である。配合物３、４、および５は、改善されたアミラーゼの性能および安定性を目的とした実験的界面活性剤パッケージである。式１を表１に示す。配合物２、３、４、および５を以下の表に示す。
【表５】
2021526181.tif 000007
【表６】
2021526181.tif 000008
【表７】
2021526181.tif 000009
【表８】
2021526181.tif 000010
【０１１３】
図５は、配合１についての１２週間にわたる４つの温度で、配合に個別に追加されたＬｉｑｕａｎａｓｅおよびＡｍｐｌｉｆｙの相対保持を示す。どちらの酵素も３０℃以下での優れた安定性および３７℃での許容可能な安定性を有する。４９℃での保存は、典型的には液体酵素配合物には推奨されず、したがって、４９℃でのデータは、酵素を配合するための限定要因であってはならない。プロットにおける４９℃についてのデータは、酵素の安定性に影響を与える配合を比較する目的を果たす。
【０１１４】
図６は、配合１から５についての３０℃で１２週間にわたる、配合に個別に追加されたＬｉｑｕａｎａｓｅおよびＡｍｐｌｉｆｙの相対保持を図示している。配合２は、他の４つの配合と比較して、ＬｉｑｕａｎａｓｅおよびＡｍｐｌｉｆｙの両方の安定性に明らかに負の効果を有していた。配合１、３、４、および５はすべて、３０℃で１２週後に優れたＡｍｐｌｉｆｙ安定性を示した。配合１は、配合３、４、および５よりも驚くほど良好なＬｉｑｕａｎａｓｅ安定性を有しており、配合１中のプロピレングリコールの存在に補助されたように思われた。配合３、４、および５の間の単一の界面活性剤の変化は、どちらの酵素の安定性にも影響を与えておらず、３つの界面活性剤が交換可能であることを示している。
【０１１５】
２つの主要な試作品配合である試作品６および試作品９を、酵素が追加されたインラインの市販の液体洗剤配合である試作品１と比較する。試作品６および試作品１の配合を、それぞれ表２および表３に列挙している。試作品９は、Ｔｅｒｇｉｔｏｌ  ＴＭＮ−６がＥｃｏｓｕｒｆ  ＥＨ−９に置き換えられていることを除けば、試作品６に非常に類似している。Ｅｃｏｓｕｒｆ  ＥＨ−９は、Ｔｅｒｇｉｔｏｌ  ＴＭＮ−６およびＥｃｏｓｕｒｆＥＨ−６と同様のアミラーゼ適合性を提供する。
【表９】
2021526181.tif 000011
【０１１６】
１％のＡｍｐｌｉｆｙ  Ｐｒｉｍｅ、１．９％Ｌｉｑｕａｎａｓｅを有する１％Ａｍｐｌｉｆｙ  Ｐｒｉｍｅ、および１．９％Ｌｉｑｕａｎａｓｅを有する１％Ａｍｐｌｉｆｙを用いた試作品１、６、および９の１２週安定性データを図７〜９に示す。
【０１１７】
３０℃以下では、これら３つの試作品配合間で酵素安定性において大きな差はない。濃縮物配合においてＡｍｐｌｉｆｙ  Ｐｒｉｍｅ単独が最高の安定性を有しているが、すべての酵素の組み合わせが素晴らしい安定性プロファイルを示している。３７℃では、酵素の安定性に影響を与える配合物がより顕著になった（図８）。２つのうちの堅牢性の低いアミラーゼであるＡｍｐｌｉｆｙは、試作品６および９よりも試作品１において早く活性を失った。５０℃では、ＡｍｐｌｉｆｙとＡｍｐｌｉｆｙ  Ｐｒｉｍｅの両方は、試作品６および９よりも試作品１における安定性が劣っていた。これらの観察結果は、配合にアミラーゼ適合性界面活性剤（Ｔｅｒｇｉｔｏｌ  ＴＭＮ−６、Ｅｃｏｓｕｒｆ  ＥＨ−９等）を有することにより、アミラーゼの貯蔵寿命の安定性を改善することができることを示した。しかし、これらの配合物間ではＬｉｑｕａｎａｓｅ安定性に差はない。また、これらの完全な配合は、図６に示す実験的界面活性剤パッケージよりもかなり良好な酵素安定性を有しており、完全な配合中に存在する追加の成分、および得られた水分活性の低下が強化された安定性をサポートしたことを示唆している。具体的には、２％のプロピレングリコールが主な寄与要因のように思われた。
【０１１８】
実施例２  有害な酵素界面活性剤相互作用
試作品の酵素試験配合物（表１０）を使用して、広範囲の界面活性剤についてのプロテアーゼの性能全体をスクリーニングした。焼き付けられたチーズ汚れを有する市販のメラミンタイルＤＭ０６を用いた以前と同じ方法を使用した。スクリーニング条件を、プロテアーゼ−界面活性剤のペア間の区別をサポートする動的応答範囲および応答変動性を提供するように最適化した。取得した性能結果（以下に詳述する）に基づいて、界面活性剤を、プロテアーゼと相乗的であるか、適合性があるか、または拮抗的であるかの３つのカテゴリーにグループ分けされた。
【表１０】
2021526181.tif 000012
【０１１９】
上記の配合を、１Ｌビーカ内で酵素を除くすべての成分を混合することによって調製した。ＮａＯＨを使用して、溶液をｐＨ９．５０（室温で）に調節し、水浴にて１２０°Ｆに加熱した。タイルを浸す直前に、加熱した溶液に酵素を加えた。２枚のタイルを各溶液中に４０分間浸漬した。さらに繰り返して行う場合、２つのタイルの各セットに対して個別の溶液を調製した。性能応答を、処理済みおよび未処理のタイルについて記録された反射率変化ΔＬの観点から測定した。ΔＬ値が大きいほど、汚れがより除去されることを表す。
【表１１】
2021526181.tif 000013
【０１２０】
見てわかるように、いくつかの界面活性剤は、プロテアーゼＡと相乗的であるかまたは適合性があるが、ＬＡＳは、プロテアーゼ活性に拮抗的である。
【０１２１】
同じ試験を、同じ試験配合において、プロテアーゼＢおよび組み合わせ、ならびに様々な界面活性剤を用いて行った。結果を表１２で報告している。ここでも、多くの界面活性剤が相乗的であるまたは少なくとも適合性があることが示されたが、ＬＡＳは、プロテアーゼ活性に拮抗的であることが示された。
【表１２】
2021526181.tif 000014
【０１２２】
出願人は、驚くべきことに、ＬＡＳが両方のプロテアーゼに対する酵素洗浄に有害である一方、密接に関係する界面活性剤であるＳＬＥＳおよびＡＯＳは各プロテアーゼと相乗的であることを見出した。
【０１２３】
組成物および方法が様々な形で変化し得ることは明らかであろう。そのような変動は、本実施形態の趣旨および範囲からの逸脱とみなされるべきではなく、全てのそのような修正は、以下の特許請求の範囲の範囲に含まれることが意図される。
【図１】
2021526181.tif 000015
【図２】
2021526181.tif 000016
【図３】
2021526181.tif 000017
【図４】
2021526181.tif 000018
【図５】
2021526181.tif 000019
【図６】
2021526181.tif 000020
【図７】
2021526181.tif 000021
【図８】
2021526181.tif 000022
【図９】
2021526181.tif 000023
【国際調査報告】
2021526181.tif 000024
2021526181.tif 000025
2021526181.tif 000026
2021526181.tif 000027
2021526181.tif 000028
2021526181.tif 000029